(57)【要約】  ハンドオーバ後にアップリンク送信リソースを求めるスケジューリング要求を送信するための方法、システム、およびデバイスが説明される。ユーザ機器(UE)が、第1の基地局から第2の基地局へのハンドオーバが発生したと判定することができ、ハンドオーバ後の通信において効率を高めるための1つまたは複数のプロセスを実施することができる。UEは、たとえば、基地局によるアップリンクリソースのスケジューリングの試行の前に、基地局からのタイミング情報の取得および/または導出の成功を待つことができる。
2017509256.tif 000002
【特許請求の範囲】
【請求項１】
ワイヤレス通信の方法であって、
第1の基地局から第2の基地局へのハンドオーバが行われたことを判定するステップと、
前記ハンドオーバ後にスケジューリング要求のトリガを遅延させるステップと
を含む、ワイヤレス通信の方法。
【請求項２】
前記スケジューリング要求の前記トリガを前記遅延させるステップは、
条件が満たされるまで前記スケジューリング要求の前記トリガを遅延させるステップを含む、請求項1に記載の方法。
【請求項３】
前記条件が満たされることは、
前記第2の基地局からマスタ情報ブロック(MIB)を受信することを含む、請求項2に記載の方法。
【請求項４】
前記ハンドオーバが行われる前にシステム情報ブロック(SIB)が受信されていることを判定するステップをさらに含む、請求項1に記載の方法。
【請求項５】
前記スケジューリング要求の前記トリガを前記遅延させるステップは、
前記ハンドオーバ後の所定の時間期間にわたって前記スケジューリング要求を遅延させるステップを含む、請求項1に記載の方法。
【請求項６】
前記所定の時間期間は、前記第2の基地局からのマスタ情報ブロック(MIB)を通じたアップリンクタイミングの予測される取得または予測される導出に対応する、請求項5に記載の方法。
【請求項７】
前記スケジューリング要求の前記トリガを前記遅延させるステップは、
前記ハンドオーバ後にデータが送信されるべきであることを判定するステップと、
マスタ情報ブロック(MIB)が第2の基地局から受信されているか否かを判定するステップと、
所定の時間期間にわたって前記スケジューリング要求の前記トリガを遅延させるステップと
を含む、請求項6に記載の方法。
【請求項８】
前記所定の時間期間は、前記第2の基地局からの前記MIBを通じたアップリンクタイミングの予測される取得または予測される導出に対応する、請求項7に記載の方法。
【請求項９】
前記所定の時間期間の満了後に、前記MIBが受信されているか否かを判定するステップと、
前記MIBが受信されていないという判定に応答して、前記所定の時間期間にわたって前記スケジューリング要求の前記トリガをさらに遅延させるステップと
をさらに含む、請求項7に記載の方法。
【請求項１０】
前記MIBが受信されているという判定に応答して、前記スケジューリング要求をトリガするステップをさらに含む、請求項9に記載の方法。
【請求項１１】
第2の所定の時間期間内に前記MIBが受信されない場合に無線リンク障害(RLF)手順を開始するステップをさらに含む、請求項9に記載の方法。
【請求項１２】
前記所定の時間期間は、所定数のロングタームエボリューション(LTE)フレームに対応する、請求項7に記載の方法。
【請求項１３】
ワイヤレス通信の装置であって、
第1の基地局から第2の基地局へのハンドオーバが行われたことを判定するための手段と、
前記ハンドオーバ後にスケジューリング要求のトリガを遅延させるための手段と
を備える、ワイヤレス通信の装置。
【請求項１４】
前記スケジューリング要求の前記トリガを遅延させるための前記手段は、前記第2の基地局からマスタ情報ブロック(MIB)が受信されるまで前記スケジューリング要求を遅延させる、請求項13に記載の装置。
【請求項１５】
前記ハンドオーバが行われる前にシステム情報ブロック(SIB)が受信されていることを判定するための手段をさらに備える、請求項13に記載の装置。
【請求項１６】
前記スケジューリング要求の前記トリガを遅延させるための前記手段は、前記ハンドオーバ後の所定の時間期間にわたって前記スケジューリング要求を遅延させる、請求項13に記載の装置。
【請求項１７】
前記所定の時間期間は、前記第2の基地局からのマスタ情報ブロック(MIB)を通じたアップリンクタイミングの予測される取得または予測される導出に対応する、請求項16に記載の装置。
【請求項１８】
前記スケジューリング要求の前記トリガを遅延させるための前記手段は、
前記ハンドオーバ後にデータが送信されるべきであることを判定するための手段と、
マスタ情報ブロック(MIB)が第2の基地局から受信されているか否かを判定するための手段と、
所定の時間期間にわたって前記スケジューリング要求の前記トリガを遅延させるための手段と
を備える、請求項17に記載の装置。
【請求項１９】
前記所定の時間期間は、前記第2の基地局からのアップリンクタイミングの予測される取得または予測される導出に対応する、請求項18に記載の装置。
【請求項２０】
前記所定の時間期間の満了後に、前記MIBが受信されているか否かを判定するための手段と、
前記MIBが受信されていないという判定に応答して、前記所定の時間期間にわたって前記スケジューリング要求の前記トリガをさらに遅延させるための手段と
をさらに備える、請求項18に記載の装置。
【請求項２１】
前記MIBが受信されているという判定に応答して、前記スケジューリング要求をトリガするための手段をさらに備える、請求項20に記載の装置。
【請求項２２】
第2の所定の時間期間内に前記MIBが受信されない場合に無線リンク障害(RLF)手順を開始するための手段をさらに備える、請求項20に記載の装置。
【請求項２３】
ワイヤレス通信の装置であって、
プロセッサと、
前記プロセッサと電子通信しているメモリと、
前記メモリに記憶されている命令と
を備え、前記命令は、前記プロセッサによって、
第1の基地局から第2の基地局へのハンドオーバが行われたことを判定することと、
前記ハンドオーバ後にスケジューリング要求のトリガを遅延させることと
を行うように実行可能である、ワイヤレス通信の装置。
【請求項２４】
前記スケジューリング要求の前記トリガを前記遅延させることは、
マスタ情報ブロック(MIB)が前記第2の基地局から受信されるまで前記スケジューリング要求を遅延させることを含む、請求項23に記載の装置。
【請求項２５】
前記命令は、前記プロセッサによって、
前記ハンドオーバ後の所定の時間期間にわたって前記スケジューリング要求を遅延させることを行うようにさらに実行可能である、請求項23に記載の装置。
【請求項２６】
前記命令は、前記プロセッサによって、
前記ハンドオーバ後にデータが送信されるべきであることを判定することと、
マスタ情報ブロック(MIB)が第2の基地局から受信されているか否かを判定することと、
所定の時間期間にわたって前記スケジューリング要求の前記トリガを遅延させることと
を行うようにさらに実行可能である、請求項25に記載の装置。
【請求項２７】
前記命令は、前記プロセッサによって、
前記所定の時間期間の満了後に、前記MIBが受信されているか否かを判定することと、
前記MIBが受信されていないという判定に応答して、前記所定の時間期間にわたって前記スケジューリング要求の前記トリガをさらに遅延させることと
を行うようにさらに実行可能である、請求項26に記載の装置。
【請求項２８】
前記命令は、前記プロセッサによって、
前記MIBが受信されているという判定に応答して、前記スケジューリング要求をトリガすることを行うようにさらに実行可能である、請求項27に記載の装置。
【請求項２９】
前記命令は、前記プロセッサによって、
第2の所定の時間期間内に前記MIBが受信されない場合に無線リンク障害(RLF)手順を開始することを行うようにさらに実行可能である、請求項27に記載の装置。
【請求項３０】
ワイヤレス通信のためのコンピュータ実行可能コードを記憶している非一時的コンピュータ可読記憶媒体であって、前記コードは、プロセッサによって、
第1の基地局から第2の基地局へのハンドオーバが行われたことを判定することと、
前記ハンドオーバ後にスケジューリング要求のトリガを遅延させることと
を行うように実行可能である、非一時的コンピュータ可読記憶媒体。
【発明の詳細な説明】
【技術分野】
【０００１】
相互参照
本特許出願は、各々が本出願の譲受人に譲渡されている、2014年8月19日に出願された、「Delaying a Trigger of a Scheduling Request After Handover」と題する、Ambrissらによる米国特許出願第14/462,085号、および2014年3月25日に出願された、「Delaying a Trigger of a Scheduling Request After Handover」と題する、Ambrissらによる米国仮特許出願第61/970,340号の優先権を主張する。
【０００２】
以下は、一般にワイヤレス通信に関し、より詳細には、基地局間のハンドオーバ後のワイヤレス通信デバイスを介したスケジューリング要求送信に関する。音声、ビデオ、パケットデータ、メッセージング、ブロードキャストのような様々なタイプの通信コンテンツを提供するために、ワイヤレス通信システムが広く配備されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。
【背景技術】
【０００３】
一般に、ワイヤレス多元接続通信システムは、各々が複数のモバイルデバイスのための通信を同時にサポートする、いくつかの基地局を含むことができる。基地局は、ダウンストリームリンクおよびアップストリームリンク上でモバイルデバイスと通信することができる。各基地局は、カバレージ範囲を有し、カバレージ範囲は、セルのカバレージエリアと呼ばれることがある。モバイルデバイスがカバレージエリア間で移動すると、モバイルデバイスとの通信が最初のカバレージエリア内の基地局から別のカバレージエリア内の基地局へと引き継がれる、ハンドオフが行われる。
【０００４】
ハンドオフ手順は、基地局間の情報の交換、ならびに、ハンドオフに関係するモバイルデバイスへの命令および情報の提供を含むことが多い。基地局間で交換される情報は、たとえば、最初の基地局とモバイルデバイスとの間のデータおよび/または他の通信に関係するコンテキスト情報を含むことができる。モバイルデバイスは、無線リソース制御(RRC)シグナリングを介してハンドオーバが完了されるべきであると指示され得る。いくつかのハンドオーバ事例において、モバイルデバイスは、基地局のカバレージエリアの縁部に位置する場合があり、その結果として、信号品質が低減し、特定の通信の送信を成功させるための再送信の数が増大する場合がある。ある事例では、ハンドオーバに関係する送信の受信に成功する前にモバイルデバイスが特定の動作を試行する場合に、そのような再送信は結果として非効率になる場合がある。
【発明の概要】
【課題を解決するための手段】
【０００５】
記載される特徴は一般に、ハンドオーバ後にアップリンク送信リソースを求めるスケジューリング要求を送信するための1つまたは複数の改善されたシステム、方法および/または装置に関する。いくつかの例において、ユーザ機器(UE)が、第1の基地局から第2の基地局へのハンドオーバが行われたことを判定することができ、ハンドオーバ後の通信において効率を高めるための1つまたは複数のプロセスを実施することができる。いくつかの例において、UEは、基地局からのアップリンクリソースの要求を試行する前に、基地局からのタイミング情報の取得および/または導出の成功を待つことができる。
【０００６】
いくつかの実施形態において、ワイヤレス通信の方法は、第1の基地局から第2の基地局へのハンドオーバが行われたことを判定するステップと、ハンドオーバ後のスケジューリング要求のトリガを遅延させるステップとを含む。
【０００７】
いくつかの実施形態において、ワイヤレス通信の装置は、第1の基地局から第2の基地局へのハンドオーバが行われたことを判定するための手段と、ハンドオーバ後のスケジューリング要求のトリガを遅延させるための手段とを含む。
【０００８】
いくつかの実施形態において、ワイヤレス通信の装置は、プロセッサと、プロセッサと電子通信しているメモリと、メモリに記憶されている命令とを含む。命令は、プロセッサによって、第1の基地局から第2の基地局へのハンドオーバが行われたことを判定し、ハンドオーバ後のスケジューリング要求のトリガを遅延させるために実行可能であり得る。
【０００９】
いくつかの実施形態において、ワイヤレス通信のためのコンピュータプログラム製品は、プロセッサによって、第1の基地局から第2の基地局へのハンドオーバが行われたことを判定し、ハンドオーバ後のスケジューリング要求のトリガを遅延させるために実行可能な命令を記憶している非一時的コンピュータ可読媒体を含む。
【００１０】
方法、装置、および/またはコンピュータプログラム製品の様々な実施形態は、ハンドオーバが行われる前にシステム情報ブロック(SIB)が受信されていることを判定する特徴、そのための手段、および/またはそのためのプロセッサ実行可能命令を含むことができる。事例によっては、スケジューリング要求のトリガを遅延させることは、条件が満たされるまでスケジューリング要求のトリガを遅延させることを含む。条件が満たされることは、第2の基地局からマスタ情報ブロック(MIB)を受信することを含み得る。事例によっては、スケジューリング要求のトリガを遅延させることは、ハンドオーバ後の所定の時間期間にわたってスケジューリング要求を遅延させることを含む。所定の時間期間は、第2の基地局からのマスタ情報ブロック(MIB)を通じたアップリンクタイミングの予測される取得または予測される導出に対応し得る。スケジューリング要求のトリガを遅延させることは、ハンドオーバ後にデータが送信されるべきであることを判定することと、マスタ情報ブロック(MIB)が第2の基地局から受信されているか否かを判定することと、所定の時間期間にわたってスケジューリング要求のトリガを遅延させることとを含むことができる。所定の時間期間は、第2の基地局からのMIBを通じたアップリンクタイミングの予測される取得または予測される導出に対応し得る。
【００１１】
方法、装置、および/またはコンピュータプログラム製品の様々な実施形態は、所定の時間期間の満了後、MIBが受信されているか否かを判定し、MIBが受信されていないという判定に応答して所定の時間期間にわたってスケジューリング要求のトリガをさらに遅延させる特徴、そのための手段、および/またはそのためのプロセッサ実行可能命令を含むことができる。
【００１２】
方法、装置、および/またはコンピュータプログラム製品の様々な実施形態は、MIBが受信されているという判定に応答してスケジューリング要求をトリガする特徴、そのための手段、および/またはそのためのプロセッサ実行可能命令を含むことができる。
【００１３】
方法、装置、および/またはコンピュータプログラム製品の様々な実施形態は、第2の所定の時間期間内にMIBが受信されない場合に無線リンク障害(RLF)手順を開始する特徴、そのための手段、および/またはそのためのプロセッサ実行可能命令を含むことができる。事例によっては、所定の時間期間は、所定数のロングタームエボリューション(LTE)フレームに対応する。
【００１４】
記載される方法および装置の適用可能性のさらなる範囲は、以下の発明を実施するための形態、特許請求の範囲、および図面から明らかとなろう。説明の趣旨および範囲内の様々な変更および修正は当業者には明らかとなるため、発明を実施するための形態および具体的な例は、例示として与えられるものにすぎない。
【００１５】
本発明の性質および利点のさらなる理解は、添付の図面を参照することによって実現され得る。添付図面では、同様の構成要素または特徴は、同じ参照符号を有する場合がある。さらに、同じタイプの様々な構成要素は、同様の構成要素を区別するダッシュおよび第2の符号を参照符号に続けることによって区別される場合がある。第1の参照符号のみが明細書で使用される場合、説明は、第2の参照符号にかかわりなく、同じ第1の参照符号を有する同様の構成要素のいずれにも適用可能である。
【図面の簡単な説明】
【００１６】
【図１】本開示の諸態様による、複数の基地局と通信しているモバイルデバイスの例示的なワイヤレス通信システムの図である。
【図２Ａ】本開示の諸態様による、ハンドオーバ前の、第1の基地局と通信しているモバイルデバイスの一例を示す図である。
【図２Ｂ】本開示の諸態様による、ハンドオーバ後の、第2の基地局と通信しているモバイルデバイスの一例を示す図である。
【図３】本開示の諸態様による、ターゲット基地局からULリソースを要求するための方法の流れ図である。
【図４】本開示の諸態様による、ターゲット基地局からULリソースを要求するための別の方法の流れ図である。
【図５Ａ】本開示の諸態様による、ワイヤレス通信デバイスの一例のブロック図である。
【図５Ｂ】本開示の諸態様による、ワイヤレス通信デバイスの別の例のブロック図である。
【図６】本開示の諸態様による、UEを実装するための構成のブロック図である。
【図７】本開示の諸態様による、ワイヤレス通信のための方法の流れ図である。
【図８】本開示の諸態様による、ワイヤレス通信のための別の方法の流れ図である。
【発明を実施するための形態】
【００１７】
記載される実施形態は、ハンドオーバ後にアップリンク送信リソースを求めるスケジューリング要求を送信するための1つまたは複数の改善されたシステム、方法および/または装置を対象とする。本開示のいくつかの態様において、ユーザ機器(UE)が、第1の基地局(たとえば、ソース基地局)から第2の基地局(たとえば、ターゲット基地局)へのハンドオーバが行われたと判定することができ、ハンドオーバ後の通信において効率を高めるための1つまたは複数のプロセスを実施することができる。既存の配備においては、たとえば、ハンドオーバ後のターゲット基地局からタイミング情報の取得および/または導出に成功する前に、UEがアップリンク送信を開始しようとするときに、非効率になる場合がある。そのような事例において、UEは、ターゲット基地局と関連付けられるランダムアクセスチャネル(RACH)を使用したランダムアクセス手順を開始する場合がある。そのようなランダムアクセス手順は、UEと基地局の両方においてさらなるリソースを消費する場合があり、UEがターゲット基地局からタイミング情報を得た場合に送信されることになるスケジューリング要求の送信よりも大幅に長い時間がかかる場合がある。そのような例において、ハンドオーバ後に、UEは、基地局とのアップリンクリソースのスケジューリングを試行する前に、基地局からのタイミング情報の受信および/または導出の成功を待つことができる。
【００１８】
特定の例において、UEは、ハンドオーバ後、スケジューリング要求を開始する前に、所定の時間期間待つことができる。他の例において、UEは、ハンドオーバ後にタイミング情報が受信および/または導出されているか否かを判定することができ、タイミング情報が受信および/または導出されている場合、スケジューリング要求を送信することができる。事例によっては、受信されているダウンリンクタイミング情報のような、ダウンリンクタイミングから、アップリンクタイミング情報が導出されてもよい。タイミング情報が受信および/または導出されていない場合、UEは、固定遅延期間にわたってスケジューリング要求の送信を遅延させることができる。いくつかの例において、UEは、基地局に関するタイミング情報を含むマスタ情報ブロック(MIB)がターゲット基地局から受信されているか否かを判定することができる。MIBが受信されていない場合、UEは、スケジューリング要求を送る前に、固定遅延期間待つことができる。いくつかの例において、UEは、スケジューリング要求を送る前に、固定遅延期間待ち、MIBが受信されているか否かを判定するために再チェックすることができる。固定遅延期間は、たとえば、ターゲット基地局からのMIBの送信または再送信を受信するための予測される受信時間に対応し得る。いつかの配備において、MIBは、MIB更新時間期間(たとえば、10msなど)内に1回または複数回送信されてもよく、固定遅延期間はまた、MIBに基づいて受信およびタイミング取得に成功することを可能にするために、MIB更新時間期間に設定することもできる。事例によっては、MIBの受信を待つ一方で、懸案中のアップリンク送信によってトリガされる、RACHなどによるランダムアクセス手順が保留または抑制されてもよい。
【００１９】
最初に図1を参照すると、例示的なワイヤレス通信システム100は、1つまたは複数の基地局(またはセル)105を介してコアネットワーク130と通信することができる、複数のUE115を含むことができる。基地局105は、コアネットワーク130の一部であり得る基地局コントローラ(図示せず)の制御下で、UE115と通信することができる。基地局105およびUE115は、一般に、ワイヤレス通信デバイスとして参照される場合がある。
【００２０】
基地局105は、バックホールリンク135(たとえば、S1など)を通して、コアネットワーク130と制御情報および/またはユーザデータを通信することができる。いくつかの実施形態では、基地局105は、ワイヤードまたはワイヤレス通信リンクであり得るバックホールリンク125(たとえば、X2など)を介して、直接的または間接的のいずれかで互いに通信することができる。ワイヤレス通信システム100は、複数のキャリア(異なる周波数の波形信号)に対する動作をサポートすることができる。マルチキャリア送信機は、被変調信号を複数のキャリア上で同時に送信することができる。たとえば、各通信リンク120は、様々な無線技術に従って変調されたマルチキャリア信号であり得る。各被変調信号は、異なるキャリア上で送ることができ、制御情報(たとえば、基準信号、制御チャネルなど)、オーバーヘッド情報、データなどを搬送することができる。
【００２１】
基地局105は、1つまたは複数の基地局アンテナを介して、UE115とワイヤレス通信することができる。基地局105サイトの各々は、それぞれの地理的カバレージエリア110に通信カバレージを与え得る。UE115がカバレージエリア110間を移動する場合、それぞれのカバレージエリアの基地局105は、いずれの基地局105がUE115と通信するかを変更するために、UE115のハンドオーバを開始することができる。下記により詳細に説明されるUE115は、いくつかの例において、基地局105とのアップリンク通信を開始するための相対的に非効率的な手順を回避するために、ハンドオーバ後のいくつかの動作を遅延させることができる。
【００２２】
いくつかの実施形態では、基地局105は、送受信機基地局、無線基地局、アクセスポイント、無線送受信機、基本サービスセット(BSS)、拡張サービスセット(ESS)、NodeB、eNodeB(eNB)、ホームNodeB、ホームeNodeB、または何らかの他の適切な用語で呼ばれる場合がある。第1の基地局105のための地理的カバレージエリア110は、カバレージエリアの一部分のみを構成するセクタ(図示せず)に分割され得る。ワイヤレス通信システム100は、様々なタイプの基地局105(たとえば、マクロ基地局、マイクロ基地局、および/またはピコ基地局)を含んでもよい。複数の異なる技術について、カバレッジエリアが重なる場合がある。
【００２３】
ワイヤレス通信システム100は、同期動作または非同期動作をサポートすることができる。同期動作では、基地局105は、同様のフレームタイミングを有し得、異なる基地局105からの送信は、時間的にほぼ整合され得る。非同期動作では、基地局105は、異なるフレームタイミングを有し得、異なる基地局105からの送信は、時間的に整合されない場合がある。本明細書で説明する技法は、同期動作または非同期動作のいずれかに使用され得る。
【００２４】
UE115は、ワイヤレス通信システム100全体にわたって分散され、各UE115は固定またはモバイルであり得る。UE115はまた、モバイルデバイス、移動局、加入者局、モバイルユニット、加入者ユニット、ワイヤレスユニット、リモートユニット、UE、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115は、双方向無線機、無線セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。
【００２５】
ワイヤレス通信システム100内に示されている通信リンク120は、UE115と基地局105との間のアップリンク(UL)および/またはダウンリンク(DL)送信を含むことができる。ダウンリンク送信は順方向リンク送信と呼ばれることもあり、一方、アップリンク送信は逆方向リンク送信と呼ばれることもある。通信リンク120は、異なる無線アクセス技術(RAT)の異なるエアインターフェースを利用することができる。
【００２６】
上記で言及したように、UE115は、異なる基地局105と関連付けられるカバレージエリア110を変更することができる。ここで図2Aを参照して、様々な実施形態による例示的なワイヤレス通信システム200におけるハンドオーバが説明される。ワイヤレス通信システム200は、図1を参照して上述したワイヤレス通信システム100の一例である可能性がある。この例において、UE115-aは最初は、基地局105-aのカバレージエリア110-a内にあり得る。UE115-aは、通信リンク205を使用して基地局105-aと通信することができる。図2Aに示すように、UE115-aは、カバレージエリア110-aの縁部に近付き得、また、第2の基地局105-bのカバレージエリア110-b内にも入り得る。
【００２７】
何らかの時点において、UE115-aおよび/または基地局105-aは、UE115-aが基地局105-bにハンドオーバされることが望ましいと判定することができる。そのような判定は、当該技術分野でよく知られているいくつかの要因に従って行われてもよい。たとえば、UE115-aからの測定レポートが、ハンドオーバが望ましい可能性があることを示すことができる。無論、当業者には容易に認識されるように、ハンドオーバ決定を行うにあたって、2例のみ挙げるとUE115-aの移動および/または基地局105-aにおけるロードのような、多数の他の要因が考慮に入れられ得る。ハンドオーバ決定が行われると、基地局105-aは、ハンドオーバ要求が基地局105-bに送信されることによって、ハンドオーバを開始することができる。基地局105-bは、ハンドオーバ要求に肯定応答することができ、基地局105-aは、UE115-aのソース基地局105-aからターゲット基地局105-bへのシームレスな遷移を可能にするのを助けるために、様々な情報項目(たとえば、連続番号状態情報、ユーザプレーンデータなど)を基地局105-bに転送することができる。RRC接続再構成をUE115-aに送信することができ、UE115-aは、基地局105-bとの接続を開始することができる。
【００２８】
図2Bは、UE115-aがターゲット基地局105-bにハンドオーバされる例示的なワイヤレス通信システム200-aを示す。UE115-aは、ハンドオーバの後、通信リンク210を使用して基地局105-bと通信することができる。図2Bに示すように、UE115-aは、基地局105-bのカバレージエリア110-bの縁部に近付き得る。そのような事例において、UE115-aは、通信リンク210を使用した信号受信が相対的に弱くなる場合があり、その結果として、UE115-aにおいてデータの受信に成功する前に、相対的に多数のデータ再送信が行われることになる場合がある。ハンドオーバプロセスの一部分として、UE115-aは、通信リンク210を介してターゲット基地局105-bと同期した通信を行うために、ターゲット基地局105-bのタイミング情報を取得および/または導出する。そのようなタイミング情報は、ターゲット基地局105-bによって送信されるマスタ情報ブロック(MIB)の受信および復号を通じて取得することができる。MIBはターゲット基地局105-bによって、LTEフレームあたり1回(すなわち、10msごとに1回)のように、定期的に送信されてもよい。
【００２９】
UE115-aがカバレージエリア110-bの縁部に近付き得る状況において、UE115-aは、ハンドオーバ後のMIBの最初の送信の間にターゲット基地局105-bからのMIBの受信および復号に成功することができない可能性がある。したがって、UE115-aは、MIBの受信および復号に成功するために、MIBの1回または複数回のさらなる送信を受信する必要があり得る。そのような事例において、UE115-aは、MIBの受信および復号に成功するまで、ターゲット基地局105-bとの通信を開始するためのタイミング情報のすべてを有しない可能性がある。
【００３０】
しかしながら、上記で言及したように、いくつかの事例において、UE115-aは、UEのバッファ内に送信されるべきであるデータがあると判定することができる。そのような事例において、UE115-aは、UE115-aのバッファ内のデータのアップリンク送信を開始するために、ターゲット基地局105-bにスケジューリング要求(SR)を送信することができる。UE115-aがターゲット基地局105-bのタイミング情報の取得および/または導出に成功していない場合、UE115-aは、ターゲット基地局105-bにアクセスするためにランダムアクセス手順を開始する場合がある。上記で言及したように、そのようなランダムアクセス手順はリソース集約的であり、相対的に非効率である可能性がある。したがって、様々な例によれば、UE115-aは、そうでなければ懸案中のアップリンク送信によってトリガされてしまう場合があるランダムアクセス手順を抑制または保留することができる。UE115-aは、ハンドオーバ後に、ターゲット基地局105-bとのアップリンク通信を開始する前に、特定の時間期間にわたって、または、特定の条件が満たされるまで待つことができる。そのような遅延は、下記により詳細に説明されるような、いくつかの技法に従って実施することができる。
【００３１】
図3は、本開示の諸態様による、ワイヤレス通信デバイスのペイロードサイズを低減するための方法300の流れ図を示す。方法300は、図1、図2A、および/または図2BのUE115のうちの1つまたは複数によって実施することができる。付加的にまたは代替的に、方法300の動作は、図5A、図5B、および/または図6を参照して後述するUE115によって実施されてもよい。
【００３２】
ブロック305において、UEは、ソースeNBとRRC接続される。たとえば、先行する図面のうちの1つのUE115が、先行する図面のうちの1つの第1の基地局105とRRC接続されてもよい。ブロック310において、ターゲットeNBに対するハンドオーバプロセスが実行される。たとえば、先行する図面のUE115が、先行する図面のうちの1つのターゲット基地局105にハンドオーバされてもよい。ハンドオーバプロセスの開始後、UEは、ブロック315に示すように、ターゲットeNBからのMIBの取得に障害があったと判定する場合がある。ブロック320において、アップリンク送信のためにUEのバッファにデータが到来する。この例では、タイミング情報が存在しないことに起因して結局ランダムアクセス手順がトリガされるようにする、SRのトリガによって直にアップリンク送信を開始するのではなく、UEは、ブロック325に示すように、MIBが取得されているか否かを判定する。
【００３３】
MIBが取得されていない場合、UEは、ブロック330に示すように、所定の時間待つ。いくつかの例において、所定の時間期間は、MIBまたはタイミング情報を含む、ターゲットeNBからの別の送信の予測される受信時間に対応する。たとえば、eNBがLTEフレームあたり1回MIBを送信するLTEシステムにおいて、所定の時間期間は10msであってもよい。他の例において、所定の時間期間は、タイミング情報の2回以上の送信を受信するのに十分な時間を与えることができる。所定の時間期間の満了後、または、ブロック325において判定されるようにMIBが取得された場合、UEは、ブロック335に示すように、SRをeNBに送信することができる。そのようにして、UEは、不要なランダムアクセス手順を回避し、ランダムアクセス手順が開始された場合よりも効率的かつ迅速にアップリンクデータ送信を開始することができる。図3の例は、MIBが取得されているか否かをUEが判定することを記載しているが、さらなる例において、UEは単純に、(MIBが取得されるか否かを判定するのではなく)ハンドオーバ後、SRをトリガする前に所定の時間期間待ってもよい。そのような事例において、UEは、MIBの取得のような条件が満たされた後に、SRをトリガすることができ、SRをトリガするために、ハンドオーバの前および/またはMIBの後に受信され得るシステム情報ブロック(SIB)を待たなくてもよい。
【００３４】
またさらなる例において、UEは、SRをトリガする前に待つ時間量を動的に判定することができる。図4は、SRのトリガを遅延させるためのそのような例の方法400の流れ図を示す。方法400は、先行する図1、図2A、および/または図2BのUE115のうちの1つまたは複数によって実施することができる。付加的にまたは代替的に、方法400の動作は、図5A、図5B、および/または図6を参照して説明するUE115によって実施されてもよい。
【００３５】
ブロック405において、UEは、ソースeNBとRRC接続される。たとえば、先行する図面のうちの1つのUE115が、先行する図面のうちの1つの第1の基地局105とRRC接続されてもよい。ブロック410において、ターゲットeNBに対するハンドオーバプロセスが実行される。たとえば、先行する図面のUE115が、先行する図面のうちの1つのターゲット基地局105にハンドオーバされてもよい。ブロック415において、アップリンク送信のためにUEのバッファにデータが到来する。この例において、UEは、ブロック420に示すように、MIBが取得されているか否かを判定する。MIBが取得されている場合、UEは、ブロック425に示すように、SRをeNBに送信する。
【００３６】
MIBが取得されていない場合、図4の例においては、UEは、ブロック430に示すように、MIB取得期間が満了しているか否かを判定することができる。そのような時間期間は、第2の所定の時間期間であり得、UEがターゲットeNBからの通信を確実に受信することが可能でないことを示すことができる。そのような事例において、UEは、ブロック440に示すように、無線リンク障害(RLF)を宣言することができる。RLF後、UEは、再確立プロセスに入り、たとえば、異なるまたは同じeNBとの接続の確立を試行することができる。MIB取得期間が満了していない場合、UEは、ブロック435に示すように、所定の時間期間(たとえば、上述したのと同様に10ms)待ち、ブロック420の動作が繰り返される。そのようにして、MIBがUEにおいて受信されるまで、SRはトリガされない。そのようにして、UEは、不要なランダムアクセス手順を回避し、ランダムアクセス手順が開始された場合よりも効率的かつ迅速にアップリンクデータ送信を開始することができる。そのような事例において、UEは、MIBの取得のような条件が満たされた後に、SRをトリガすることができ、SRをトリガするために、ハンドオーバの前および/またはMIBの後に受信され得るシステム情報ブロック(SIB)を待たなくてもよい。
【００３７】
図5Aは、本開示の様々な態様による、UE115-bの一例のブロック図500-aを示す。UE115-bは、たとえば、図1、図2A、および/または図2BのUE115または基地局105の1つまたは複数の態様の一例であってもよい。UE115-bは、受信機モジュール510と、送信機モジュール520と、SRトリガモジュール515と、ハンドオーバ(HO)管理モジュール535とを含むことができる。UE115-bはまた、たとえば、SRトリガモジュール515の一部であってもよい、プロセッサ(図示せず)をも含むことができる。これらの構成要素の各々は互いと通信することができる。
【００３８】
受信機モジュール510は、パケット、ユーザデータ、ならびに/または、ヘッダ、同期信号およびパイロット信号を含む制御情報などの情報を受信することができる。受信された情報は、復調、デスクランブル、デインターリーブ、および/または復号され得る。情報は、SRトリガモジュール515、HO管理モジュール517、および、適切なまたは所望されるようなUE115-bの他の構成要素に渡され得る。
【００３９】
受信機モジュール510は、単一の受信機または複数の受信機を含むことができる。たとえば、受信機モジュール510は、N個の受信アンテナと、R個のRFチェーン(図示せず)とを含み得、ただし、Rは一般にN以下である。各RFチェーンは、RFモジュールとアナログデジタルコンバータ(ADC)とを含むことができる。動作中に、受信アンテナによって受信された信号は、RFチェーンの入力に与えることができる。RFチェーンにおいて、信号がRFモジュールによって処理(たとえば、増幅、ダウンコンバート、フィルタ処理など)され、ADCによってデジタル化される。RFチェーンの出力は、さらなる処理のために復調器に与えられ得る。復調器は、受信信号のSINRを高めるために、受信ダイバーシティ技法を使用して、複数のアンテナから受信された信号を合成することができる。復調器は、等利得合成、最大比合成(MRC)などの好適な信号合成技法を使用することができる。復調器およびRFチェーンは、干渉消去技法を使用して、干渉消去および/または抑制(たとえば、干渉除去合成、逐次干渉消去など)をさらに提供することができる。
【００４０】
送信機モジュール520は、パケット、ユーザデータ、ならびに/または、ヘッダ、同期信号およびパイロット信号を含む制御情報などの情報を送信することができる。送信された情報は、変調、スクランブル、インターリーブ、および/またはコーディングされ得る。情報は、SRトリガモジュール515、HO管理モジュール517、および、適切なまたは所望されるようなUE115-bの他の構成要素から受信することができる。いくつかの実施形態において、送信機モジュール520は、送受信機モジュール(図示せず)内で受信機モジュール510とコロケートされ得る。送信機モジュール520は、単一のアンテナを含んでもよく、または複数のアンテナを含んでもよい。
【００４１】
SRトリガモジュール515は、送信機モジュール520および受信機モジュール510(または、送受信機モジュール)を利用して、本明細書に記載されているように、スケジューリング要求をトリガおよび送信することができる。さらに、SRトリガモジュール515は、スケジューリング要求を準備し、および/または、本明細書に記載されているように、イベントベースの条件または時間ベースの条件のような、スケジューリング要求をトリガするための条件が満たされているか否かを判定することができる。
【００４２】
HO管理モジュール517は、送信機モジュール520および受信機モジュール510(または送受信機モジュール)を利用して、ハンドオーバが行われたかまたは行われようとしていることを判定し、送信のためのアップリンクデータがあることを判定し、ターゲット基地局のアップリンクタイミング情報を受信する前に懸案中のアップリンク送信に基づいてトリガされ得る、ターゲット基地局へのランダムアクセス手順を保留または抑制し、イベントまたは時間ベースの条件に関係する、SRトリガモジュール515からの情報を受信することができる。いくつかの例において、HO管理モジュール517は、本明細書に記載されているように、MIBが受信されない場合のような無線リンク障害(RLF)手順を開始することができる。
【００４３】
UE115-bの構成要素は、ハードウェアにおける該当する機能の一部またはすべてを実行するように適合されている1つまたは複数のASICを使用して、個別にまたは集合的に実装されてもよい。代替的に、機能は、1つまたは複数の集積回路上の、1つまたは複数の他の処理ユニット(またはコア)によって実施されてもよい。他の例では、当技術分野で公知の任意の方法でプログラムされ得る他のタイプの集積回路(たとえば、構造化/プラットフォームASIC、FPGA、および他のセミカスタムIC)が使用され得る。各構成要素の機能はまた、全体的または部分的に、1つもしくは複数の汎用プロセッサまたは特定用途向けプロセッサによって実行されるようにフォーマットされた、メモリ内で具体化された命令を用いて実装されてもよい。
【００４４】
図5Bは、UE115-cの一例のブロック図500-bを示す。UE115-cは、図1、図2A、図2B、および/または図5Aを参照して説明されているUE115の1つまたは複数の態様の一例であってもよい。UE115-cは、受信機モジュール510と、送信機モジュール520と、SRトリガモジュール515-aと、HO管理モジュール517-aと、情報ブロックモジュール525とを含むことができる。UE115-cはまた、たとえば、SRトリガモジュール515-a、HO管理モジュール517-a、および/または情報ブロックモジュール525の一部分であってもよいプロセッサ(図示せず)をも含むことができる。これらの構成要素の各々は互いと通信することができる。
【００４５】
受信機モジュール510および送信機モジュール520は、図5Aに関して上記で説明したように構成されてもよく、利用されてもよい。SRトリガモジュール515-aは、図5AのSRトリガモジュール515に関して上述したように構成されてもよく、動作を実施してもよい。HO管理モジュール517-aは、図5AのHO管理モジュール517に関して上述したように構成されてもよく、動作を実施してもよい。
【００４６】
さらに、図5Bに示すように、UE115-cは、情報ブロックモジュール525を含むことができる。情報ブロックモジュール525は、たとえば、情報ブロック(たとえば、MIB、SIBなど)がターゲット基地局から受信されているか否かを判定することができる。いくつかの事例において、情報ブロックモジュール525は、ハンドオーバの前などに、SIBが受信されていることを判定する。いくつかの例において、情報ブロックモジュール525は、MIBの受信、SIBの受信などのような、イベントベースの条件が満たされているか否かを判定する。
【００４７】
SRトリガモジュール515-aは、タイミングモジュール530を含むことができる。タイミングモジュール530は、タイミング操作を実施することができる。タイミングモジュール530は、所定の時間期間の満了のような、時間ベースの条件が満たされているか否かを判定することができる。タイミングモジュール530は、所定の数のロングタームエボリューション(LTE)フレームもしくはサブフレーム、ターゲット基地局の(たとえば、MIB内の情報などによって)予測されるタイミングの取得、および/または、ターゲット基地局の(たとえば、MIBなどの検出および/または復号によって)予測されるタイミングの導出などに基づいて、1つまたは複数の所定の時間期間を判定することができる。いくつかの事例において、タイミングモジュール530は、上述したように、SRをトリガするか、または、MIBが受信されているか否かを判定するかのいずれかなどのために、所定の時間期間待つことができる。いくつかの例において、タイミングモジュールは、上述したように、MIBが第2の所定の時間期間内に受信されない場合にRLFを宣言するために使用することができる第2の所定の時間期間を計るように構成することができる。
【００４８】
図6は、UE115-dを実装するための構成のブロック図600を示す。UE115-dは、図1、図2A、図2B、図5Aおよび/または図5Bを参照して説明されているUE115の1つまたは複数の態様の一例であってもよい。UE115-dは、モバイル動作を支援するために、小型バッテリーのような内部電源(図示せず)を有することができる。UE115-dは、1つまたは複数の送受信機モジュール610と協働してワイヤレス信号を受信および送信するように構成されている1つまたは複数のアンテナ605を含むことができる。UE115-dは、SRトリガモジュール515-bと、HO管理モジュール517-bと、情報ブロックモジュール525-aと、プロセッサモジュール625と、通信管理モジュール630と、入出力(I/O)デバイス635と、メモリ615とをさらに含むことができ、それらの各々は、(たとえば、1つまたは複数のバス650を介して)互いと直接的または間接的に通信することができる。
【００４９】
送受信機モジュール610は、1つまたは複数のネットワークの他のUEおよび/または基地局と、アンテナ605を介して双方向などで通信するように構成することができる。したがって、送受信機モジュール610または送受信機は、単独で、またはUE115-d様々な他のモジュールおよび/もしくはアンテナ605と組み合わせて、送り、送信し、受信し、および/または判定するための手段とすることができる。送受信機モジュール610は、パケットを変調し、変調されたパケットを送信のためにアンテナ605に与え、アンテナ605から受信されたパケットを復調するように構成されているモデムを含むことができる。送受信機モジュール610は、少なくとも1つの送信機モジュールおよび少なくとも1つの別個の受信機モジュールとして実装されてもよい。UE115-dは単一のアンテナを含んでもよいが、UE115-dが複数のアンテナ605を含んでもよい態様があり得る。
【００５０】
メモリ615は、ランダムアクセスメモリ(RAM)および読み出し専用メモリ(ROM)を含み得る。メモリ615はまた、実行されると、本明細書に記載されている様々な機能(たとえば、SRの遅延、トリガなど)をプロセッサモジュール625に実行させるように構成されている命令を含む、コンピュータ可読のコンピュータ実行可能ソフトウェアコード620を記憶することができる。代替的に、ソフトウェアコード620は、プロセッサモジュール625によって直接的に実行可能でなくてもよく、たとえば、コンパイルされ実行されると、本明細書に記載されている機能をコンピュータに実行させるように構成されてもよい。したがって、プロセッサモジュール625またはプロセッサは、単独でまたはメモリ615およびソフトウェアコード620と組み合わせて、開始、確立、始動、送信、モニタリング、再始動、設定、増分、リセット、判定などのための手段とすることができる。プロセッサモジュール625は、インテリジェントハードウェアデバイス、たとえば、中央処理装置(CPU)、マイクロコントローラ、特定用途向け集積回路(ASIC)などを含んでもよい。プロセッサモジュール625は、送受信機モジュール610を通じて受信された、および/またはアンテナ605を通じた送信のために送受信機モジュール610に送信されるべき情報を処理することができる。
【００５１】
1つまたは複数の入出力(I/O)デバイス635は、ユーザ入力を受け取るための1つまたは複数のデバイス(たとえば、ボタン、キーボード、マウス、トラックパッド、タッチスクリーン、マイクロホンなど)、情報を検知するための1つまたは複数のデバイス(たとえば、全地球測位システム(GPS)デバイス、ジャイロスコープ、加速度計、圧電センサなど)、ユーザに出力を提供するための1つまたは複数のデバイス(たとえば、表示デバイス、スピーカ、モータ、アクチュエータなど)、および/または、他の通信インターフェース(たとえば、赤外線通信デバイス、近接場通信(NFC)デバイスなど)を含んでもよい。
【００５２】
SRトリガモジュール515-bは、本明細書に記載されているような様々なモニタリング、検出、または判定動作を実施するように構成することができる。SRトリガモジュール515-bは、送受信機610およびアンテナ605とともにそのような動作を実施してもよい。さらに、SRトリガモジュール515-bは、プロセッサモジュール625の制御下で動作し得る。SRトリガモジュール515-bは、図5Aおよび/または図5BのSRトリガモジュール515の一例であってもよく、上述したこれらのモジュールの機能を実施してもよい。
【００５３】
HO管理モジュール517-bは、本明細書に記載されているような様々なモニタリング、検出、または判定動作を実施するように構成することができる。HO管理モジュール517-bは、送受信機610およびアンテナ605とともにそのような動作を実施してもよい。さらに、HO管理モジュール517-bは、プロセッサモジュール625の制御下で動作し得る。HO管理モジュール517-bは、図5Aおよび/または図5BのHO管理モジュール517の一例であってもよく、上述したこれらのモジュールの機能を実施してもよい。
【００５４】
情報ブロックモジュール525-aは、本明細書に記載されているような様々なモニタリング、検出、または判定動作を実施するように構成することができる。情報ブロックモジュール525-aは、送受信機610およびアンテナ605とともにそのような動作を実施してもよい。さらに、情報ブロックモジュール525-aは、プロセッサモジュール625の制御下で動作し得る。情報ブロックモジュール525-aは、図5Bの情報ブロックモジュール525の一例であってもよく、上述したこれらのモジュールの機能を実施してもよい。SRトリガモジュール515-b、HO管理モジュール517-b、および情報ブロックモジュール525-aは別個に図示されているが、SRトリガモジュール515-b、HO管理モジュール517-b、および/または情報ブロックモジュール525-aの機能は、送受信機モジュール610、通信管理モジュール630の構成要素として、コンピュータプログラム製品として、および/または、プロセッサモジュール625の1つまたは複数のコントローラ要素として実装されてもよい。
【００５５】
UE115-dは、LTE/LTE-Aネットワーク上での動作を含む様々な無線プロトコルなどによるUE115-dの様々な通信動作を管理または他の様態で制御するように構成することができる通信管理モジュール630をさらに含むことができる。特に、通信管理モジュール630は、ハンドオーバ後にターゲット基地局のアップリンクタイミング情報が取得および/または導出されているか否かを判定すること、アップリンクタイミング取得に基づいてアップリンクスケジューリング要求のトリガを遅延させること、ならびに、上述したようなランダムアクセス手順を抑制することを含む、HO管理モジュール517-b、SRトリガモジュール515-b、および/または情報ブロックモジュール525-aの動作を支援することができる。
【００５６】
図6のアーキテクチャによれば、HO管理モジュール517-b、SRトリガモジュール515-b、情報ブロックモジュール525-a、および/または通信管理モジュール630は、少なくとも1つのバス650を介してUE115-dの他の構成要素の一部またはすべてと通信するUE115-dの構成要素であってもよい。付加的にまたは代替的に、これらのモジュールの様々な記載されている機能の一部またはすべては、送受信機モジュール610の1つもしくは複数の構成要素として、コンピュータプログラム製品として、ソフトウェアコード620の1つもしくは複数の関数、サブルーチン、クラス、モジュール、および/もしくはパッケージ内で具体化される命令として、ならびに/またはプロセッサモジュール625の1つもしくは複数のコントローラ要素として実装されてもよい。
【００５７】
UE115-dの構成要素は、個別にまたは集合的に、ハードウェア中の適用可能な機能の一部または全部を実行するように適応された1つまたは複数の特定用途向け集積回路(ASIC)を用いて実装されてもよい。代替的に、機能は、1つまたは複数の集積回路上の、1つまたは複数の他の処理ユニット(またはコア)によって実施されてもよい。他の実施形態では、当技術分野で知られている任意の方法でプログラムされ得る他のタイプの集積回路(たとえば、ストラクチャード/プラットフォームASIC、フィールドプログラマブルゲートアレイ(FPGA)、および他のセミカスタムIC)が使用されてもよい。各ユニットの機能はまた、全体的または部分的に、1つもしくは複数の汎用プロセッサまたは特定用途向けプロセッサによって実行されるようにフォーマットされた、メモリ内で具体化された命令を用いて実装されてもよい。言及されているモジュールの各々は、UE115-dの動作に関係する1つまたは複数の機能を実施するための手段であってもよい。
【００５８】
図7は、ワイヤレス通信デバイスにおいてハンドオーバ後にSRトリガを遅延させるための方法700の流れ図である。明瞭にするために、図1、図2A、図2B、図5A、図5B、および/または図6を参照して説明したUE115のうちの1つまたは複数の態様を参照して、方法700を下記に説明する。一実施態様において、UE115またはそのプロセッサモジュールは、下記に説明する機能を実施するためにデバイスの機能要素を制御するための1つまたは複数のコードセットを実行することができる。
【００５９】
ブロック705において、UEは、第1の基地局から第2の基地局へのハンドオーバが行われたことを判定することができる。ブロック710において、UEは、ハンドオーバ後のスケジューリング要求のトリガを遅延させることができる。そのようなハンドオーバの判定、および、SRのトリガの遅延は、様々な例に従って、上述したように実施されてもよい。たとえば、SRは、上記で説明したように、ハンドオーバ後に所定の時間期間だけ遅延されてもよく、MIBの復号に成功していないと判定されたときに所定の時間期間だけ遅延されてもよく、または、第2の基地局からのMIBの復号に成功するまで、動的に遅延されても良い。
【００６０】
図8は、ワイヤレス通信デバイスにおいてハンドオーバ後にSRトリガを遅延させるための方法800の流れ図である。明瞭にするために、図1、図2A、図2B、図5A、図5B、および/または図6を参照して説明したUE115のうちの1つまたは複数の態様を参照して、方法800を下記に説明する。一実施態様において、UE115またはそのプロセッサモジュールは、下記に説明する機能を実施するためにデバイスの機能要素を制御するための1つまたは複数のコードセットを実行することができる。
【００６１】
ブロック805において、UEは、第1の基地局から第2の基地局へのハンドオーバが行われたことを判定することができる。ブロック810において、UEは、ハンドオーバ後にデータが送信されるべきであることを判定することができる。そのような判定は、たとえば、UEのバッファ内にアップリンクデータがあるという判定によって行われてもよい。ブロック815において、UEは、マスタ情報ブロック(MIB)が第2の基地局から受信されているか否かを判定することができる。MIBが受信されていない場合、UEは、ブロック820に示すように、所定の時間期間にわたってスケジューリング要求のトリガを遅延させることができる。任意選択のブロック825において、UEは、第2の時間期間が満了しているか否かを判定してもよい。そのような第2の時間期間は、第2の基地局からMIBを受信するための上限であってもよく、UEがRLFを宣言すべきであることを示すことができる。ブロック830において、UEは、第2の所定の時間期間内にMIBが受信されない場合にRLF手順を開始することができる。
【００６２】
本明細書に記載されている技法は、CDMA、TDMA、FDMA、OFDMA、SC-FDMA、および他のシステムのような様々なワイヤレス通信システムに使用されてもよい。「システム」および「ネットワーク」という用語は、しばしば互換的に使用される。CDMAシステムは、CDMA2000、ユニバーサル地上無線アクセス(UTRA:Universal Terrestrial Radio Access)、などの無線技術を実装してもよい。CDMA2000は、IS-2000、IS-95、およびIS-856規格をカバーする。IS-2000リリース0およびAは、通常、CDMA2000 1X、1Xなどと呼ばれる。IS-856(TIA-856)は、通常、CDMA2000 1xEV-DO、高速パケットデータ(HRPD)などと呼ばれる。UTRAは、広帯域CDMA(WCDMA(登録商標))およびCDMAの他の変形態とを含む。TDMAシステムは、モバイル通信用グローバルシステム(GSM(登録商標):Global System for Mobile Communications)のような無線技術を実装してもよい。OFDMAシステムは、ウルトラモバイルブロードバンド(UMB:Ultra Mobile Broadband)、発展型UTRA(E-UTRA:Evolved UTRA)、IEEE802.11(Wi-Fi)、IEEE802.16(WiMAX)、IEEE802.20、Flash-OFDMのような無線技術を実装してもよい。UTRAおよびE-UTRAは、ユニバーサルモバイル電気通信システム(UMTS:Universal Mobile Telecommunication System)の一部である。3GPPロングタームエボリューション(LTE:Long Term Evolution)およびLTEアドバンスト(LTE-A:LTE-Advanced)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)という名称の組織からの文書に記載されている。CDMA2000およびUMBは、「3rd Generation Partnership Project 2」(3GPP2)という名称の組織からの文書内に記載されている。本明細書で説明する技法は、上述のシステムおよび無線技術、ならびに他のシステムおよび無線技術に使用されてもよい。ただし、上記の説明では、例としてLTEシステムについて説明し、上記の説明の大部分においてLTE用語が使用されるが、本技法はLTE適用例以外に適用可能である。
【００６３】
したがって、上記の説明は例を提供するものであり、特許請求の範囲に記載された範囲、適用可能性、または構成を限定するものではない。本開示の趣旨および範囲から逸脱することなく、論じられる要素の機能および構成において変更を行うことができる。種々の実施形態は、種々の手順または構成要素を必要に応じて省略、置換、または追加することができる。たとえば、説明される方法は、説明される順序とは異なる順序において実行することができ、種々のステップを追加するか、省略するか、または組み合わせることができる。また、いくつかの実施形態に関して説明される特徴は、他の実施形態において組み合わせることができる。
【００６４】
添付の図面に関連して上述した詳細な説明は、例示的な実施形態を説明し、特許請求の範囲内で実装され得る、または特許請求の範囲内にある実施形態のみを表してはいない。本明細書全体にわたって使用される「例示的」という用語は、「一例、実例、または例示として役立つ」ことを意味し、「好ましい」または「他の実施形態よりも有利な」を意味するものではない。詳細な説明は、説明した技術の理解を提供する目的のための具体的な詳細を含む。これらの技術は、しかしながら、これらの具体的な詳細なしに実施され得る。いくつかの例では、周知の構造およびデバイスは、説明した実施形態の概念を不明瞭にすることを避けるために、ブロック図形式で示されている。
【００６５】
様々な異なる技術および技法のうちのいずれかを使用して、情報および信号が表されてもよい。たとえば、上記の説明全体にわたって参照されている場合があるデータ、命令、コマンド、情報、信号、ビット、シンボル、およびチップは、電圧、電流、電磁波、磁場もしくは磁性粒子、光学場もしくは光学粒子、またはそれらの任意の組合せによって表されてもよい。
【００６６】
本明細書の開示に関して説明した様々な例示的なブロックおよびモジュールは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明した機能を実施するように設計されているそれらの任意の組合せを用いて実装または実施されてもよい。汎用プロセッサは、マイクロプロセッサであってもよいが、代替形態において、プロセッサは、任意の従来のプロセッサ、コントローラ、マイクロコントローラ、または状態機械であってもよい。プロセッサはまた、コンピューティングデバイスの組合せとして、たとえば、DPSとマイクロプロセッサとの組合せ、複数のマイクロプロセッサ、DSPコアと組み合わされた1つもしくは複数のマイクロプロセッサ、または任意の他のそのような構成として実装されてもよい。
【００６７】
本明細書に記載されている機能は、ハードウェア、プロセッサによって実行されるソフトウェア、ファームウェア、またはそれらの任意の組合せで実装されてもよい。プロセッサによって実行されるソフトウェアにおいて実装された場合、機能は、1つもしくは複数の命令またはコードとしてコンピュータ可読媒体上で記憶あるいは送信されてもよい。他の例および実装形態は、本開示および添付の特許請求の範囲の範囲および趣旨内にある。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装されてもよい。機能を実装する特徴はまた、機能の一部が異なる物理的ロケーションで実装されるように分散された状態を含む、様々な位置に物理的に位置していてもよい。また、特許請求の範囲を含めて本明細書で使用する場合、「のうちの少なくとも1つ」によって先行される項目の列挙で用いられる「または」は、たとえば、「A、B、またはCのうちの少なくとも1つ」という列挙が、AまたはBまたはCまたはABまたはACまたはBCまたはABC(すなわち、AおよびBおよびC)を意味するように、選言的な列挙を示す。
【００６８】
コンピュータ可読媒体は、コンピュータ記憶媒体と、コンピュータプログラムの1つの場所から別の場所への転送を容易にする任意の媒体を含む通信媒体との両方を含む。記憶媒体は、汎用または専用のコンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコード手段を搬送あるいは記憶するために使用され得、汎用もしくは専用のコンピュータまたは汎用もしくは専用のプロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者線(「DSL」)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。ディスク(disk)およびディスク(disc)は、本明細書において使用されるときに、コンパクトディスク(disc)(「CD」)、レーザディスク(登録商標)(disc)、光ディスク(disc)、デジタル多用途ディスク(disc)(「DVD」)、フロッピー(登録商標)ディスク(disk)およびブルーレイ(登録商標)ディスク(disc)を含み、ディスク(disk)は通常、データを磁気的に再生し、一方、ディスク(disc)は、レーザを用いてデータを光学的に再生する。上記の組合せも、コンピュータ可読媒体の範囲内に含まれる。
【００６９】
本開示についての以上の説明は、当業者が本開示を作成または使用することができるように提供される。本開示への様々な修正が当業者には容易に明らかとなり、本明細書に定義する一般原理は、本開示の趣旨または範囲を逸脱することなしに他の変形形態に適用され得る。本開示全体にわたって、「例」または「例示的」という用語は、一例または実例を示し、言及する例についてのいかなる選好をも暗示または必要としない。したがって、本開示は、本明細書で説明した例および設計に限定されず、本明細書で開示した原理および新規な特徴と一致する最も広い範囲を与えられるべきである。
【符号の説明】
【００７０】
100  ワイヤレス通信システム
105  基地局
105-a  基地局
105-b  基地局
110  カバレージエリア
110-a  カバレージエリア
110-b  カバレージエリア
115  UE
115-a  UE
115-b  UE
115-c  UE
115-d  UE
120  通信リンク
125  バックホールリンク
130  コアネットワーク
200  ワイヤレス通信システム
200-a  ワイヤレス通信システム
210  通信リンク
300  方法
400  方法
500-a  ブロック図
500-b  ブロック図
510  受信機モジュール
515  SRトリガモジュール
515-a  SRトリガモジュール
515-b  SRトリガモジュール
517  HO管理モジュール
517-a  HO管理モジュール
517-b  HO管理モジュール
520  送信機モジュール
525  情報ブロックモジュール
525-a  情報ブロックモジュール
530  タイミングモジュール
600  ブロック図
605  アンテナ
610  送受信機モジュール
615  メモリ
620  ソフトウェアコード
625  プロセッサモジュール
630  通信管理モジュール
635  入出力デバイス
650  バス
700  方法
800  方法
【図１】
2017509256.tif 000003
【図２Ａ】
2017509256.tif 000004
【図２Ｂ】
2017509256.tif 000005
【図３】
2017509256.tif 000006
【図４】
2017509256.tif 000007
【図５Ａ】
2017509256.tif 000008
【図５Ｂ】
2017509256.tif 000009
【図６】
2017509256.tif 000010
【図７】
2017509256.tif 000011
【図８】
2017509256.tif 000012
【国際調査報告】
2017509256.tif 000013
2017509256.tif 000014
2017509256.tif 000015